(57)【要約】【課題】多極回路遮断器の取付けに際し、機器取付け用レールまたは引掛け片と板ばねによる取付け手段のいずれにも適用できると共に、引掛け片と板ばねによる取付け手段を適用する場合、複数の板ばねがあっても、取付板から容易に取外すことができるようにする。【解決手段】複数の取付け用凹溝２にそれぞれ嵌装された取付け用板ばね５の裏面側に同時に係合する係合解除部材９をレールホルダ８に設け、レールホルダ８をスライドすることにより、取付け用凹溝２に対する複数の板ばね５の嵌装状態を同時に解除するようにした。【選択図】図１０
2010080414.tif 000002
【特許請求の範囲】
【請求項１】
分電盤等の内部に配設された機器取付け用レールまたは引掛け片とこの引掛け片に対向する位置にある板ばねのいずれかを介して着脱自在に上記分電盤等の内部に取付けられるものであり、
遮断器ケースの背面に、上記機器取付け用レールに係合するスライド式のレールホルダを設けると共に、上記遮断器ケースの電源端子側と負荷端子側の端面のうち、一方の端面に上記引掛け片を、他方の端面に上記板ばねが嵌装される取付け用凹溝を複数対設けたものにおいて、上記レールホルダに、上記複数の取付け用凹溝にそれぞれ嵌装された板ばねの裏面側に同時に係合する係合解除部材を設け、上記引掛け片と板ばねにより取付けたとき、上記レールホルダをスライドさせることにより、上記取付け用凹溝に対する複数の板ばねの嵌装状態を同時に解除するように構成したことを特徴とする多極回路遮断器。
【請求項２】
係合解除部材は、レールホルダの胴体部に分離可能に保持されていることを特徴とする請求項１記載の多極回路遮断器。
【発明の詳細な説明】
【技術分野】
【０００１】
本発明は、分電盤に取付けて使用される多極回路遮断器、特に、分電盤の盤面に配設された機器取付け用レールまたは引掛け片とこの引掛け片に対向する位置にある板ばねのいずれかを介して着脱自在に取付けできるようになされた多極回路遮断器に関する。
【背景技術】
【０００２】
分電盤の内部に配設される回路遮断器は、分岐回路用として小形の回路遮断器を多数配設することがある。その一つの手段として、ＪＩＳ規格による機器取付け用レールを用いて着脱自在に配設する構成が知られている。（例えば、特許文献１参照。）。
また、他の手段として、分電盤の盤面に配設された引掛け片とこの引掛け片に対向する位置にある板ばねを用いて着脱自在に配設する構成が知られている。（例えば、特許文献２参照。）。
さらに、ＪＩＳ規格による機器取付け用レールを用いて配設することができると共に、必要に応じて、引掛け片とこの引掛け片に対向する位置にある板ばねを用いて配設することもできるようになされた両用の構成も知られている。（例えば、特許文献３参照。）。
【０００３】
上記分電盤用の回路遮断器としては、通常、単極の回路遮断器が使用されるが、分岐回路によっては、３極の回路遮断器も使用される。そして、その大きさ形状など互換性を有するように形成されている。即ち、その外形寸法などについてＪＩＳ  Ｃ  ８２０１−２−１による分電盤用協約形回路遮断器の規格があり、また、ＪＩＳ  Ｃ  ２８１２による機器取付け用レールの規格がある。引掛け片とこの引掛け片に対向する位置にある板ばねについては、規格化されたものはないが、概ね特許文献２に示されたような構成になされている。
従って、単極の回路遮断器の場合、一方の端子金具側に引掛け片が係合され、他方の端子金具側に板ばねが係合されるように構成されている。この引掛け片と板ばねを３極の回路遮断器に適用する場合は、通常、引掛け片と板ばねを３対用いて構成されている。
上記のことから、この種の回路遮断器における着脱自在の取付け構造は広く知られているのでその構造の詳細説明は省略する。
【０００４】
【特許文献１】特開平１１−８９０１８号公報（第５頁、図１、図５）
【特許文献２】特開２００６−１３６０３８号公報（第３頁、図９）
【特許文献１】特開平０５−３３６６２１号公報（第３頁、図３、図４）
【発明の開示】
【発明が解決しようとする課題】
【０００５】
従来、分電盤に取付けて使用される回路遮断器においては、上記のような取付け構造が知られているが、引掛け片と板ばねを用いた取付け構造においては、回路遮断器を取付板から取外す際に、板ばねを押しながら回路遮断器を持ち上げなくてはならないので、作業者は両手を使うことになり、作業性が悪いという問題点があった。
また、取付板の板ばねは１極毎に設けられているため、多極用の回路遮断器を取外す際には、複数の板ばねの上端部をそれぞれ押して複数の取り付け用凹溝との係合を解除し、回路遮断器を持ち上げる必要があった。即ち、取外しの作業として複数の板ばねを同時に操作することになり、取外すために必要とする力も大きくなるため、取外しの作業性が悪いという問題点があった。
【０００６】
本発明は、上記のような課題を解決するためになされたもので、分電盤に取付けて使用される回路遮断器、特に多極回路遮断器に関し、機器取付け用レールまたは引掛け片と板ばねによる取付け手段のいずれにでも適用できると共に、引掛け片と板ばねによる取付け手段を適用する場合、複数の板ばねがあっても、取付板から容易に取外すことができる回路遮断器を提供することを目的とする。
【課題を解決するための手段】
【０００７】
この発明に係る多極回路遮断器は、分電盤等の内部に配設された機器取付け用レールまたは引掛け片とこの引掛け片に対向する位置にある板ばねのいずれかを介して着脱自在に分電盤等の内部に取付けられるものであり、
遮断器ケースの背面に、機器取付け用レールに係合するスライド式のレールホルダを設けると共に、遮断器ケースの電源端子側と負荷端子側の端面のうち、一方の端面に上記引掛け片を、他方の端面に上記板ばねが嵌装される取付け用凹溝を複数対設けたものにおいて、上記レールホルダに、上記複数の取付け用凹溝にそれぞれ嵌装された板ばねの裏面側に同時に係合する係合解除部材を設け、上記引掛け片と板ばねにより取付けたとき、上記レールホルダをスライドさせることにより、上記取付け用凹溝に対する複数の板ばねの嵌装状態を同時に解除するように構成したものである。
【発明の効果】
【０００８】
上述したように本発明に係る多極回路遮断器によれば、機器取付け用レールまたは引掛け片とこの引掛け片に対向する位置にある板ばねのいずれにでも着脱自在に取付けできると共に、複数対の引掛け片と板ばねを介して取付けられた多極回路遮断器を取外すとき、機器取付け用レールに取付けする際に使用するレールホルダをスライドさせて複数の板ばねの嵌装状態を同時に解除するように構成したので、回路遮断器の取外しが容易になるという効果がある。
【発明を実施するための最良の形態】
【０００９】
実施の形態１．
図１はこの発明の実施の形態１に係る多極回路遮断器が機器用取付板に取付けられた状態を示す平面図、図２は図１の側面図、図３は図２における要部の拡大図である。図４は機器用取付板の拡大斜視図であり、（ａ）は１極用、（ｂ）は多極用を示す。図５は引掛け片と板ばねによる取付け状態を示す側面図、図６は機器取付け用レールによる取付けを示す側面図、図７は機器取付け用レールから取外した状態を示す側面図、図８及び図９はレールホルダを説明するための多極回路遮断器の背面図、図１０は図２におけるＡ−Ａ線断面図、図１１は図１におけるＢ−Ｂ線断面図で、一部分のみ破断して示している。図１２は図１１における要部の拡大図、図１３はレールホルダの拡大図、図１４は係合解除部材の拡大図である。
【００１０】
図１ないし図５において、周知の多極（３極の例を示している）回路遮断器を１で示しており、外形寸法などについては日本工業規格ＪＩＳ  Ｃ  ８２０１−２−１による分電盤用協約形回路遮断器に準じて形成されており、電源端子金具１ａ、負荷端子金具１ｂ、起倒形の操作ハンドル１ｃを有している。また取付け用凹溝２が電源端子金具１ａ側の端面と負荷端子金具１ｂ側の端面において、各極に対応して３対設けられている。３は回路遮断器を取り付けるための機器用取付板であり、図４（ａ）に１極用を、図４（ｂ）に３極用を示している。この機器用取付板３は、２０極分くらい連続したものを分電盤メーカに提供し、分電盤メーカで取付け極数に応じて切断して使用されるように形成されている。なお、３ａは、多極回路遮断器１の背面を当接させるためのふくらみである。
【００１１】
機器用取付板３の一端部には、図４（ａ）（ｂ）に示すように、取付板３の一部を切り起こして形成された引掛け片４が形成され、図３（ａ）に示すように、電源端子金具１ａ側の取付け用凹溝２に挿入する形で引掛けるようになっている。５は機器用取付板３の他端部に固着された板ばねであり、ばね性を有する金属板を折り曲げて形成され、押さえ板５ａにより機器用取付板３に固着されている。この板ばね５は、図３（ｂ）に示すように、負荷端子金具１ｂ側の取付け用凹溝２に嵌装される。なお、上記の引掛け片４と板ばね５が設けられた機器用取付板３は、分電盤（図示せず）の底面に螺着されている。上記の引掛け片４と板ばね５を３対用いて取付けされた多極回路遮断器１は、板ばね５の端縁５ｂの部分を押し下げることにより、取付け用凹溝２に対する嵌装が外れて図５に示すように多極回路遮断器１が取り外しできるようになっている。
【００１２】
次に、図６ないし図９により機器取付け用レールによる取付けについて説明する。機器取付け用レール６は、日本工業規格ＪＩＳ  Ｃ  ２８１２に規定されたものであり、分電盤（図示せず）の底面に螺着されている。多極回路遮断器１の背面には、機器取付け用レール６が嵌る凹部７が設けられている。この凹部７の一端にはレール係止部７ａが形成され、凹部７の他端には図８、図９に詳細構成を示すように、スライド式のレールホルダ８の胴体部８ａが嵌装されるスライド溝７ｂが形成されている。
このスライド式のレールホルダ８の主要部分は、ばね性を有する合成樹脂材（例えばポリアセタール樹脂）により図８，図９及び図１３に示すように形成されている。即ち、胴体部８ａの両側には、薄板状に形成された一対のレールホルダ弾性部８ｂが形成され、胴体部８ａの一端側にはスライド係止部８ｃが形成され、上記のレール係止部７ａに対向する位置にあって機器取付け用レール６と係合できるようになされている。胴体部８ａの他端側には取外し用溝８ｄが設けられており、レールホルダ８をスライドさせる時には、この取外し用溝８ｄにドライバー等の工具を差し込んでスライドさせることができるようになっている。
【００１３】
上記のレールホルダ８は、図８及び図９に示すように、多極回路遮断器１の背面側に設けられた弾性部保持凸部７ｃによりレールホルダ弾性部８ｂが挟持され、スライド溝７ｂに胴体部８ａが嵌装されてレールホルダ８が装着されている。従って、図６に示すように機器取付け用レール６に多極回路遮断器１が取付けられた状態において、図９に示すようにレールホルダ８を矢印方向にスライドさせると、スライド係止部８ｃが機器取付け用レール６から外れるので、図７のように機器取付け用レール６から多極回路遮断器１を取外すことができる。なお、図６ないし図９は、多極回路遮断器１において、引掛け片と板ばねを用いた取付けの説明を省略し、機器取付け用レールを用いた取付けに関してのみ説明したものである。
【００１４】
図１０ないし図１４は、引掛け片４と板ばね５を３対用いた多極回路遮断器１の着脱に関する実施の形態を説明するものである。この場合、スライド式のレールホルダ８は多極回路遮断器１の取付けには関係がないものである。しかし、この発明の多極回路遮断器１は、機器取付け用レールまたは引掛け片とこの引掛け片に対向する位置にある板ばねのいずれによっても着脱自在に取付けられるものであるため、引掛け片４と板ばね５を３対用いた多極回路遮断器１の取外しに際し機器取付け用レール用のレールホルダ８を利用するように構成したことを特徴とするものである。
【００１５】
先ず、この発明の主要部になるスライド式のレールホルダ８について図１３及び図１４に基づいて説明する。この場合レールホルダ８の主要部分はばね性を有する合成樹脂材（例えばポリアセタール樹脂）により形成されている。即ち、胴体部８ａの両側には、薄板状に形成された一対のレールホルダ弾性部８ｂが形成されている。このレールホルダ弾性部８ｂは、湾曲させても直ちに元の状態に復元するようなばね性を備えている。胴体部８ａの一端側にはスライド係止部８ｃが形成され、レール係止部７ａに対向する位置にあって機器取付け用レール６と係合できるようになされている。胴体部８ａの他端側には取外し用溝８ｄが設けられており、レールホルダ８をスライドさせる時には、この取外し用溝８ｄにドライバー等の工具を差し込むことによりスライドさせることができる。また、胴体部８ａには取外し用溝８ｄに近接して係合解除部材保持孔８ｅが穿設されている。９は係合解除部材で、なるべく弾性変形しない形状に形成されている。従って、その材料はレールホルダ８と同様の材料を使用する場合には、図９（ｂ）に示すように中空にするか、あるいは、溝割をいれて弾性変形を少なくする。構造上細くする必要があるときは、アルミニュウムなど金属材あるいは硬質の合成樹脂を用いて形成することもある。この係合解除部材９は、図１０に示すように３箇所の板ばね５と係合できる長さにしてあり、組立の際、係合解除部材保持孔８ｅに挿入できるように形成されている。
【００１６】
上記のレールホルダ８と係合解除部材９は図１０ないし図１２に示すように、多極回路遮断器１の背面側に組込まれる。この場合、レールホルダ８をスライド溝７ｂに嵌装された状態で係合解除部材９を挿入するので組立が容易になる。板ばね５は、取付け用凹溝２に嵌装された状態でその裏面側が取付け用凹溝２を貫通して係合解除部材９に近接係合できる状態に構成されている。
【００１７】
上記のように引掛け片４と板ばね５により取付けられた多極回路遮断器１を取外す操作について説明する。即ち、上記のように構成された多極回路遮断器１の機器用取付板３への取付けは、従来の回路遮断器と同様に多極回路遮断器１の取付け用凹溝２に対して、多極回路遮断器１の一端の取付け用凹溝２を機器用取付板３に設けられた引っ掛け片４に引っ掛けた後、もう一方の端部を機器用取付板３に取付けられている板ばね５に引っ掛けて多極回路遮断器１を取付け固定する。
機器用取付板３から回路遮断器１を取外すときには、レールホルダ８に設けられた取外し用溝８ｄにドライバー等の工具を差込み、矢印Ｃの方向にレールホルダ８をスライドさせると、レールホルダ８に保持された係合解除部材９が各極の板ばね５の裏面側を押圧することにより、板ばね５と取り付け用凹溝２との係合が同時に解除される。この操作により、図５に示した場合と同様に作業者が容易に多極回路遮断器１を手で持ち上げ取外しすることが可能となる。
【００１８】
以上のように構成された多極回路遮断器１は、機器用取付板３から多極回路遮断器１を取外す際に、回路遮断器１のレールホルダ８に取り付けられた係合解除部材９が同時に機器用取付板３に配設された板ばね５をたわませることが可能となるため、回路遮断器１の取外しが容易となるという効果がある。
また、係合解除部材９は、レールホルダ８の係合解除部材保持穴８ｅに摺動可能に嵌挿され保持されているので、係合解除部材９は適切な材料・形状のものを設定できる。この係合解除部材９により各極の板ばね５を安定して押圧できる。従って、板ばね５と取付け用凹溝２との係合が確実に解除される。
【図面の簡単な説明】
【００１９】
【図１】本発明の実施の形態１の構成を示す多極回路遮断器の平面図
【図２】図１の側面図
【図３】図２における要部の拡大図
【図４】機器用取付板の拡大斜視図
【図５】引掛け片と板ばねによる取付け状態を示す側面図
【図６】機器取付け用レールによる取付けを示す側面図
【図７】機器取付け用レールから取外した状態を示す側面図
【図８】レールホルダを説明するための多極回路遮断器の背面図
【図９】レールホルダを説明するための多極回路遮断器の背面図
【図１０】図２におけるＡ−Ａ線断面図
【図１１】図１におけるＢ−Ｂ線断面図
【図１２】図１１における要部の拡大図
【図１３】レールホルダの拡大図
【図１４】係合解除部材の拡大図
【符号の説明】
【００２０】
１  多極回路遮断器、２  取付け用凹溝、３  機器用取付板、４  引掛け片、
５  板ばね、６  機器取付け用レール、７  凹部、７ａ  レール係止部、
７ｂ  スライド溝、７ｃ  弾性部保持凸部、８  レールホルダ、８ａ  胴体部、
８ｂ  レールホルダ弾性部、８ｃ  スライド係止部、８ｄ  取外し用溝、
８ｅ  係合解除部材保持孔、９  係合解除部材。
【図１】
2010080414.tif 000003
【図２】
2010080414.tif 000004
【図３】
2010080414.tif 000005
【図４】
2010080414.tif 000006
【図５】
2010080414.tif 000007
【図６】
2010080414.tif 000008
【図７】
2010080414.tif 000009
【図８】
2010080414.tif 000010
【図９】
2010080414.tif 000011
【図１０】
2010080414.tif 000012
【図１１】
2010080414.tif 000013
【図１２】
2010080414.tif 000014
【図１３】
2010080414.tif 000015
【図１４】
2010080414.tif 000016